(57)【特許請求の範囲】
【請求項１】
撮影レンズを通して被写体像を撮像する撮像装置と、
記録媒体に記録された画像データを読出して再生する再生制御手段と、
前記再生制御手段から出力された画像データに所定の処理を施して前記画像データを強調する信号処理手段と、
前記画像データによる画像を表示する表示手段と、
前記再生制御手段により再生される画像データのコマ送りおよびコマ戻しを行う第１の切換え手段と、
前記信号処理手段をオンおよびオフする第２の切換え手段と、
前記第１および第２の切換え手段による切換えに応じて前記表示手段で表示される画像を切換える表示制御手段とを備えることを特徴とする電子カメラ。
【請求項２】
請求項１に記載の電子カメラにおいて、
前記第１の切換え手段は、前記再生制御手段で再生する画像データを１コマ単位でコマ送りおよびコマ戻しを行うことを特徴とする電子カメラ。
【請求項３】
画像データを記録媒体に記録する記録モードと、前記記録媒体に記録された画像データを読出して再生する再生モードとを有し、前記記録モードおよび前記再生モードのいずれかに切換えるモード切換え手段と、
前記画像データに所定の処理を施して前記画像データを強調する信号処理手段と、
前記画像データによる画像を表示する表示手段と、
前記再生モードにおける前記信号処理手段のオン／オフ状態を記憶する記憶手段と、
前記モード切換え手段により前記記録モードに切換える場合、切換え前に前記再生モードにおける前記信号処理手段のオン／オフ状態を前記記憶手段に記憶するとともに、切換え後の前記記録モードにおいて前記信号処理手段をオフし、前記モード切換え手段により前記再生モードに切換える場合、切換え後の前記再生モードにおいて前記記憶手段に記憶されている前記信号処理手段のオン／オフ状態に応じて前記信号処理手段をオン／オフする切換え制御手段とを備えることを特徴とする電子カメラ。
【発明の詳細な説明】
【０００１】
【発明の属する技術分野】
本発明は、ＣＣＤなどの撮像装置で被写体を撮像して画像データを記録媒体に記録する電子カメラに関する。
【０００２】
【従来の技術】
従来から、撮影レンズを通過する被写体像を撮像して画像信号を出力する撮像装置と、撮像装置から出力される撮像信号に対し、高周波成分の信号を低周波成分の信号に対して強調し、画像のコントラストが高い部分を強調する、いわゆるピーキング処理を行う画像信号処理回路とを備えた電子カメラが知られている。たとえば、特公平6-28392号公報に記載のテレビジョンカメラでは、視覚の空間周波数特性を補正してビューファインダーによる画像のコントラストを高め、画像のエッジが鮮明になるようにピント調整が行われる。
【０００３】
【発明が解決しようとする課題】
記録媒体に記録された画像データを読出してファインダーなどに表示するとき、記録された画像を表示することを目的としてピーキング処理を必要としない場合と、記録された画像のピント調整状態を確認することを目的としてピーキング処理を必要とする場合とがあり、読出された画像データごとにピーキング処理を行うか否かを設定する必要がある。また、記録媒体に画像データを記録する動作と、記録媒体に記録された画像データを読出す動作とを切換えて行う場合に、ピーキング処理を行うか否かの設定をその都度行う必要があった。
【０００４】
本発明の目的は、メモリカードなどの記録媒体から画像データを読出す際の画像データの切換え、および画像データに対するピーキング処理のオン／オフ切換えを行いやすくした電子カメラを提供することにある。
【０００５】
【課題を解決するための手段】
一実施の形態を示す図３に対応づけて本発明を説明する。
（１）請求項１の発明による電子カメラは、撮影レンズ2を通して被写体像を撮像する撮像装置214と、記録媒体424に記録された画像データを読出して再生する再生制御手段439と、再生制御手段439から出力された画像データに所定の処理を施して画像データを強調する信号処理手段460と、画像データによる画像を表示する表示手段420と、再生制御手段439により再生される画像データのコマ送りおよびコマ戻しを行う第１の切換え手段19a,19bと、信号処理手段460をオンおよびオフする第２の切換え手段19c,19dと、第１および第２の切換え手段による切換えに応じて表示手段420で表示される画像を切換える表示制御手段439とを備えることにより、上述した目的を達成する。
（２）請求項２の発明は、請求項１に記載の電子カメラにおいて、第１の切換え手段19a,19bは、再生制御手段439で再生する画像データを１コマ単位でコマ送りおよびコマ戻しを行うことを特徴とする。
（３）請求項３発明による電子カメラは、画像データを記録媒体424に記録する記録モードと、記録媒体424に記録された画像データを読出して再生する再生モードとを有し、記録モードおよび再生モードのいずれかに切換えるモード切換え手段467と、画像データに所定の処理を施して画像データを強調する信号処理手段460と、画像データによる画像を表示する表示手段420と、再生モードにおける信号処理手段460のオン／オフ状態を記憶する記憶手段439と、モード切換え手段467により記録モードに切換える場合、切換え前に再生モードにおける信号処理手段460のオン／オフ状態を記憶手段439に記憶するとともに、切換え後の記録モードにおいて信号処理手段460をオフし、モード切換え手段467により再生モードに切換える場合、切換え後の再生モードにおいて記憶手段439に記憶されている信号処理手段460のオン／オフ状態に応じて信号処理手段460をオン／オフする切換え制御手段439とを備えることにより、上述した目的を達成する。
【０００６】
なお、本発明の構成を説明する上記課題を解決するための手段の項では、本発明を分かり易くするために実施の形態の図を用いたが、これにより本発明が実施の形態に限定されるものではない。
【０００７】
【発明の実施の形態】
−第一の実施の形態−
以下、図面を参照して本発明の実施の形態を説明する。図１は、本発明の第一の実施の形態による電子スチルカメラの収納時、および携帯時の外観を示し、(a)が上から見た図、(b)が後ろから見た図である。また、図２は図１に示したカメラの通常撮影時の外観を示し、(a)が前から見た図、(b)が上から見た図、(c)が後ろから見た図である。この実施の形態による電子スチルカメラ1は、可動レンズ2を含むレンズユニット1aと表示ＬＣＤ420を含むモニターユニット1bとに分割され、両ユニット1a、1bが相対的に回転可能に連結されている。
【０００８】
収納時または携帯時には、図１に示すように、レンズユニット1aとモニターユニット1bとがフラットになるようにレンズユニット1aを回転する。また、通常撮影時には、図２に示すように、可動レンズ2が被写体方向を向くようにレンズユニット1aを回転する。このとき、モニターユニット1bは表示ＬＣＤ420が撮影者の方向を向くように保持されるので、撮影者は表示ＬＣＤ420を見ながら撮影を行うことができる。
【０００９】
レンズユニット1aは、可動レンズ2の他に電子閃光装置4、ファインダー窓5、赤目軽減・セルフタイマー表示ランプ6、ファインダー接眼窓7などを備えている。一方、モニターユニット1bは、表示ＬＣＤ420の他にメインスイッチ8、レリーズボタン9、表示パネル10、閃光撮影モードボタン11、撮影距離モードボタン12、画質モードボタン13、ズーム操作ボタン14、モニター表示ボタン15、メニューボタン16、選択ダイヤル17、ピーキング領域選択ボタン19a〜19dなどを備えている。
【００１０】
電子スチルカメラ1は、被写体像を撮像して画像データを記録する記録モードと、記録された画像データを読出して再生する再生モードの２つの動作モードを有する。メインスイッチ8の切換え操作により、記録モード(REC)と再生モード(PLAY)とが選択される。メインスイッチ8は、PLAY、オフ、REC(S)、REC(C)の少なくとも４つの位置に切換えられる。記録モードは撮像した被写体像を画像データとして記録する動作モードであり、再生モードは記録した画像データを読み出して表示ＬＣＤ420に表示する動作モードである。記録モードは(S)および(C)の二つのモードを有し、(S)は１コマずつ撮影する単コマ撮影モードであり、(C)は連続コマ撮影を行う連写モード（または動画モード）である。
【００１１】
図３は、第一の実施の形態による電子スチルカメラ1の回路を示すブロック図である。メインスイッチ8を記録モード:REC(S)に切換え操作すると、電子スチルカメラ1は電源オンするとともにＣＰＵ439がＲＯＭ443に記憶されている制御プログラムを起動させる。記録／再生切換えスイッチ467および連写モード切換えスイッチ468はメインスイッチ8に連動して操作されるようになされており、メインスイッチ8がREC(S)位置に操作されることにより、記録／再生切換えスイッチ467が記録モード側に、連写モード切換えスイッチ468が１コマ撮影モード側に切換られる。ＣＰＵ439は上述したスイッチおよびボタンなどの操作部材46から入力される操作信号に基づいて、各部のブロックに対する制御を適宜行う。
【００１２】
図３において、被写体光Ｌが可動レンズ2を通過して電子スチルカメラ1内に入射され、入射された被写体光Ｌが可動レンズ2、固定レンズ209およびレンズ群21を通過して撮像素子214上に結像される。撮像素子214はＣＣＤであり、各画素に結像された光画像を電気的な画像信号に光電変換する。デジタルシグナルプロセッサ(以下、ＤＳＰと呼ぶ)433は、ＣＣＤ214に対して水平駆動信号を供給するとともに、ＣＣＤ駆動回路434を制御してＣＣＤ214に対する垂直駆動信号を供給させる。
【００１３】
画像処理部431は、ＣＰＵ439により制御され、ＣＣＤ214で光電変換された画像信号を所定のタイミングでサンプリングして、所定の信号レベルとなるように増幅する。アナログ／デジタル変換回路(以下、Ａ／Ｄ変換回路と呼ぶ)432は、画像処理部431から出力された増幅後の画像信号をデジタル信号に変換し、デジタル変換後の画像データを上述したＤＳＰ433へ出力する。ＤＳＰ433は、Ａ／Ｄ変換回路432から出力された画像データに対して輪郭補償やガンマ補正、ホワイトバランス調整などの画像処理を施す。
【００１４】
さらにＤＳＰ433は、バッファメモリ436およびメモリカード424に接続されているデータバスを制御し、画像処理が施された画像データをバッファメモリ436に一旦記憶させた後、バッファメモリ436から記憶した画像データを読出して、たとえば、ＪＰＥＧ圧縮のために所定のフォーマット処理を行い、フォーマット処理後の画像データをＪＰＥＧ方式で所定の比率にデータ圧縮して、メモリカード424に記録させる。また、ＤＳＰ433は上記の画像処理後の画像データをフレームメモリ435に記憶させて、モニターユニット1b(図２)に設けられた表示ＬＣＤ420上に表示させたり、メモリカード424から記録された撮影画像データを読出して伸張し、伸張後の撮影画像データをフレームメモリ435に記憶させて表示ＬＣＤ420上に表示させる。さらにまた、ＤＳＰ433は上述した画像データのメモリカード424への記録、および伸張後の撮影画像データのバッファメモリ436への記録などにおけるデータ入出力のタイミング管理を行う。
【００１５】
バッファメモリ436には、ＣＣＤ214による画像データが格納され、メモリカード424に対する画像データの入出力の速度の違いと、ＣＰＵ439やＤＳＰ433などにおける処理速度の違いを緩和するために利用される。タイマ445は時計回路を内蔵し、現在の時刻に対応するタイムデータをＣＰＵ439に出力する。このタイムデータは、上述した画像データとともにメモリカード424に記録される。
【００１６】
図４は上述したレンズ群21の斜視図である。レンズ群21の内部には、絞り板215とシャッター板208とが隣接して設けられ、絞り板215およびシャッター板208はリレーレンズ212aと212bとに挟まれている。絞り板215およびシャッター板208は円盤状に形成されており、円盤の回転中心にそれぞれ設けられたステップモータ408、415(図３)により駆動される。図４に示されるように、絞り板215には絞り開口部215a〜215gが設けられている。全ての被写体光束を通過させる開口部215aの面積を基準にして、絞り開口部215b〜215gの開口面積は、開口部215b〜215gに至るまで開口面積が順に半分ずつになるように設定されている。一方、シャッター板208には全ての光束を遮光する完全遮光部208a、全ての光束を通過させる開口部208bが設けられている。
【００１７】
図３において、絞り駆動回路453は、Ａ／Ｄ変換回路432からＤＳＰ433に出力された画像データより検出された被写体の輝度を用いてＣＰＵ439で行われる所定の露出演算で決定された絞り値となるように、ステップモータ415を駆動して絞り板215の開口径を設定する。絞り板215はステップモータ415が駆動されると所定の開口径の開口を光路上に設定する。シャッター駆動回路454はステップモータ408を駆動して、ＣＣＤ214の露光時にシャッター板208の開口部208bを光路上にセットし、露光終了時に完全遮光部208aを光路上にセットする。なお、露光時間の制御は、後述する電子シャッター動作により行われる。
【００１８】
レンズ駆動回路430はＣＰＵ439からの指令により可動レンズ2を合焦位置へ駆動する。レンズ駆動回路430は、ＣＰＵ439による指令の他に距離環462の操作信号によっても可動レンズ2を合焦位置へ駆動することができる。ズームレンズ駆動回路429はＣＰＵ439からの指令により可動レンズ2を駆動して、可動レンズ2のズーム倍率（焦点距離）を変える。
【００１９】
ピーキング処理回路460はＣＰＵ439からの指令によりフレームメモリ435に記憶されている画像データを読み出し、読み出した画像データに対して後述するピーキング処理を行う。ピーキング処理が行われた画像データはスイッチ461の端子aへ出力される。スイッチ461はＣＰＵ439からの指令により、フレームメモリ435から読み出されてスイッチ461の端子bから入力された画像データ、およびピーキング処理回路460から出力されてスイッチ461の端子aから入力されたピーキング処理後の画像データのうち一方の画像データを表示ＬＣＤ420へ出力する。
【００２０】
スイッチ470はＣＰＵ439の指令により、ピーキング処理モードの設定／解除に合わせてピーキング処理回路460の電源をオン／オフする。ピーキング処理回路460を動作させるとき電源回路480から供給される電源をオンし、ピーキング処理回路460を動作させないとき電源回路480から供給される電源をオフする。スイッチ471はモニター表示ボタン15(図１)の操作に連動してＣＰＵ439の指令によりオン／オフ操作されるもので、表示ＬＣＤ420に供給される電源をオン／オフする。表示ＬＣＤ420に表示動作をさせるとき電源回路480から供給される電源をオンし、表示ＬＣＤ420に表示動作をさせないとき電源回路480から供給される電源をオフする。なお、この他の各回路ブロックに対しては、メインスイッチ8により電源オンされているときは電源回路480より常時電源が供給される。
【００２１】
測色素子417は主要被写体およびその周囲の色温度を検出し、検出した色温度のデータを測色回路452へ出力する。測色回路452は測色素子417から出力されたアナログ信号に所定の処理を施してデジタル値に変換し、変換後のデジタル信号をＣＰＵ439へ出力する。インターフェイス448は所定の外部装置(不図示)を接続して、ＣＰＵ439および接続した外部装置との間でデータの送受を行うように設けられている。
【００２２】
この他、ＣＰＵ439には表示回路440が接続され、閃光撮影モードボタン11による閃光装置4の発光モード設定、撮影距離モードボタン12による距離範囲設定、画質モードボタン13による圧縮率設定などの各種設定状態が表示パネル10に表示される。
【００２３】
−ピーキング処理−
ピーキング処理は、上述したようにＤＳＰ433により画像処理が行われてフレームメモリ435に記憶された画像データのうち、後述するピーキング領域に対応する画像データに対して行われる。図５はピーキング処理回路460、スイッチ461およびフレームメモリ435の詳細を示す図である。フレームメモリ435は、画像データにおける輝度信号Ｙを記憶するＹ信号メモリ435a、画像データにおける色差信号Ｒ−Ｙ、色差信号Ｂ−Ｙをそれぞれ記憶するＲ−Ｙメモリ435b、Ｂ−Ｙメモリ435cにより構成される。ここで、輝度信号Ｙ、色差信号Ｒ−Ｙおよび色差信号Ｂ−ＹはＤＳＰ433により算出され、フレームメモリ435に記憶されるものである。ピーキング処理回路460は微分回路460a、増幅回路460b、加算回路460c、オペアンプ460eおよび２回路スイッチ460dにより構成される。スイッチ461は３回路のスイッチであり、a回路側がピーキング処理回路460に、b回路側がフレームメモリ435に、コモン端子が表示ＬＣＤ420に接続されている。ピーキング処理モードが設定されてピーキング処理を行う場合、ＣＰＵ439の指令によりスイッチ461がa回路側に切換られる。スイッチ461がa回路側に切換られると、ピーキング処理回路460から出力されてスイッチ461の端子1a〜端子3aから入力された各信号が表示ＬＣＤ420へ供給される。
【００２４】
図５において、Ｙ信号メモリ435aから出力された輝度信号Ｙはピーキング処理回路460に入力され、ピーキング処理回路460内の微分回路460aで微分される。微分された微分信号が増幅回路460bで増幅され、増幅後の信号が加算回路460cにおいて元の輝度信号Ｙと加算される。加算後の輝度信号Ｙ’がピーキング処理回路460から出力され、スイッチ461の端子3aから入力される。
【００２５】
Ｒ−Ｙ信号メモリ435b、Ｂ−Ｙ信号メモリ435cから出力された色差信号Ｒ−Ｙ、色差信号Ｂ−Ｙはピーキング処理回路460内のスイッチ460dの端子2b、端子1bにそれぞれ入力される。スイッチ460dの端子2a、端子1aはどちらもグランド(GND)に接続される。微分回路460aで微分された微分信号がオペアンプ460eに入力され、入力された微分信号がオペアンプ460eに入力されている所定の電圧Vrより大きいとき、オペアンプ460eからスイッチ460dを駆動する駆動信号が出力され、スイッチ460dがa回路側に切換られる。スイッチ460dのa回路側は上述したようにグランド接続されているので、スイッチ460dのコモン端子2cおよびコモン端子1cから出力される色差信号Ｒ−Ｙ、色差信号Ｂ−Ｙの大きさはそれぞれ０となる。したがって、微分信号が加算された輝度信号Ｙ’がスイッチ461の端子3aに、０の色差信号Ｒ−Ｙがスイッチ461の端子2aに、０の色差信号Ｂ−Ｙがスイッチ461の端子1aに入力される。この結果、表示ＬＣＤ420で輝度信号Ｙの微分信号が所定値より大となる部分の色が消されて白色表示される。すなわち、被写体像の輪郭などのコントラストが高い部分が高輝度で白く強調して表示される。
【００２６】
一方、微分回路460aで微分された微分信号がオペアンプ460eに入力されている所定の電圧Vrより小さいとき、オペアンプ460eからスイッチ460dを駆動する駆動信号が出力されないのでスイッチ460dはb回路側に切換られる。この結果、スイッチ460dのコモン端子2cおよびコモン端子1cから出力される色差信号Ｒ−Ｙ、色差信号Ｂ−Ｙは、それぞれＲ−Ｙ信号メモリ435b、Ｂ−Ｙ信号メモリ435cから出力された色差信号Ｒ−Ｙ、色差信号Ｂ−Ｙとなる。表示ＬＣＤ420へはこれら色差信号および微分信号が加算された輝度信号Ｙ’が供給されるので、被写体像のコントラストが低い部分の色は色差信号Ｒ−Ｙ、色差信号Ｂ−Ｙに基づいて表示される。以上のピーキング処理動作は、表示ＬＣＤ420で表示される各画素ごとに行われる。
【００２７】
ピーキング処理モードが解除されてピーキング処理回路460でピーキング処理を行わない場合、ＣＰＵ439の指令によりスイッチ461がb回路側に切換られる。スイッチ461がb回路側に切換られると、Ｂ−Ｙ信号メモリ435c、Ｒ−Ｙ信号メモリ435bおよびＹ信号メモリ435aから出力され、スイッチ461の端子1b〜端子3bにそれぞれ入力された各信号が表示ＬＣＤ420へ供給される。
【００２８】
上述したように電子スチルカメラ1は、メインスイッチ8に連動して操作される記録／再生切換えスイッチ467により記録モード(REC(S)およびREC(C))と再生モード(PLAY)が選択される。両動作モードにおいて、それぞれカメラ動作を選択／設定するためのメニュー設定モードが設けられている。第一の実施の形態による電子スチルカメラ1は、記録モードにおいてメニュー設定されたカメラ動作に特徴があるので、メニュー設定については記録モードの中で説明する。
【００２９】
−記録動作−
メインスイッチ8を１コマ撮影の記録モード：REC(S)位置に切換え操作すると、電子スチルカメラ1は電源オンとともに１コマ撮影の記録モードに切換えられる。ＣＰＵ439にレリーズボタン9に連動する半押しスイッチと全押しスイッチ（以下、レリーズボタン9と呼ぶ）から半押し信号と全押し信号がそれぞれ入力される。レリーズボタン9による半押し信号が入力されると、ＣＰＵ439がＣＣＤ214による画像データのコントラストに基づいて可動レンズ2の焦点調節状態を検出する。そして、可動レンズ2に入射する被写体光が撮像装置であるＣＣＤ214上で結像するように可動レンズ2を合焦位置へ駆動する。また、レリーズボタン9による半押し信号がＣＰＵ439に入力されたとき、ＣＰＵ439はＣＣＤ214による画像データから被写体の輝度を検出し、検出した輝度に基づき露出演算を行う。
【００３０】
ズーム操作ボタン466が操作されると、ＣＰＵ439からの指令によりズームレンズ駆動回路429が可動レンズ2を駆動し、焦点距離を変化させる。ズーム操作ボタン14は、望遠側（Ｔ）と広角側（Ｗ）のうち、いずれか押されている側に焦点距離が移動される。
【００３１】
半押し信号に引続いてレリーズボタン9がオン操作され、全押し信号がＣＰＵ439に入力されると、露出演算の結果と閃光撮影モードボタン11によりあらかじめ設定されたモード設定とに応じて閃光装置4が発光し、可動レンズ2からの被写体光ＬがＣＣＤ214の受光面上で結像することにより、ＣＣＤ214には被写体像の明るさに応じた信号電荷が蓄積される。ＣＣＤ214はＤＳＰ433およびＣＣＤ駆動回路434によりタイミング制御され、ＣＣＤ214に蓄積された信号電荷が上記両回路から出力される駆動パルスにより吐き出され、ノイズ除去回路や直流再生回路などを含む画像処理部431に入力される。画像処理部431でアナログ画像信号に対してノイズ除去、ゲインコントロールなどのアナログ処理が施された後、Ａ／Ｄ変換回路432によってデジタル信号に変換される。
【００３２】
デジタル変換された信号は、上述したＤＳＰ433に導かれ、そこで輪郭補償、ガンマ補正等の画像前処理が行われて一旦バッファメモリ436に格納される。そして、ＣＰＵ439とバッファメモリ436との間で画像データの授受を行い、格納されている画像データからホワイトバランス調整値を求め、この調整値に基づいてＤＳＰ433でホワイトバランス調整が行われ、ホワイトバランス調整後の画像データが再びバッファメモリ436へ格納される。バッファメモリ436に記憶された画像データは、ＤＳＰ433で表示用の画像データに処理され、この画像データがフレームメモリ435に書き込まれることにより、表示ＬＣＤ420にフリーズ画像と呼ばれる撮影画面が表示される。
【００３３】
上述したような画像前処理が行なわれた画像データに対してはさらに、ＤＳＰ433によりＪＰＥＧ圧縮のためのフォーマット処理（画像後処理）が行なわれ、さらにＪＰＥＧ方式で所定の比率にデータ圧縮を受け、ＣＰＵ439により所定のデータ名を付与されてタイマ445からのタイム情報とともに、フラッシュメモリ等の記録媒体（ＰＣカード、ＣＦカードなど）424に記録される。
【００３４】
−メニュー設定−
図６は電子スチルカメラ1の表示ＬＣＤ420に表示される記録モードのメニュー設定画面を説明する図である。記録モードにおいて図１のメニューボタン16が押されると、図６(a)のようなメニュー設定画面が電子スチルカメラ1の表示ＬＣＤ420に表示される。選択ダイヤル17またはズーム操作ボタン14（メニュー設定モード中は選択スイッチとして機能する）が操作されることにより、たとえば、メニューの中から「ＡＥ動作」の項目が選択され、レリーズボタン9（メニュー設定モード中は選択決定スイッチとして機能する）が押されて「ＡＥ動作」が選択決定されると、図６(b)のようなＡＥ動作モードに関するメニュー設定画面が表示ＬＣＤ420に表示される。ＡＥ動作モードとは、ＣＰＵ439が行う露出演算において、検出した被写体の輝度値に応じて予め定められた条件により絞り値およびシャッター速度(露光時間)を決定する「プログラムモード」、検出した被写体の輝度値および設定されている絞り値に応じてシャッター速度を決定する「絞り優先モード」、検出した被写体の輝度値および設定されているシャッター速度に応じて絞り値を決定する「シャッター優先モード」、撮影者が絞り値およびシャッター速度を決定する「オフ（マニュアル）」のことである。
【００３５】
選択ダイヤル17またはズーム操作ボタン14が操作されることにより、たとえば、メニューの中から「絞り優先モード」の項目が選択される。レリーズボタン9が押されて「絞り優先モード」の項目が選択決定されると、検出した輝度値および設定されている絞り値に応じてシャッター速度を決定する動作モードが選択される。
【００３６】
また、選択ダイヤル17またはズーム操作ボタン14によりメニューの中から「ＡＦ動作」の項目を選択したとき(図７(a))、レリーズボタン9を押して「ＡＦ動作」を選択決定すると、図７(b)のようなＡＦ動作モードに関するメニュー設定画面が表示ＬＣＤ420に表示される。ＡＦ動作モードとは、メインスイッチ8によりカメラが記録モードに設定されているとき焦点検出動作が常に行われる「コンティニュアスＡＦモード」と、レリーズボタン9による半押し信号がＣＰＵ439に入力されたときにのみ行われる「シングルＡＦモード」と、電子スチルカメラ1が焦点検出動作を行わずに、撮影者がピント合わせをマニュアルで行う「オフ(マニュアル)」のことである。
【００３７】
選択ダイヤル17またはズーム操作ボタン14が操作されることにより、メニューの中から「シングルＡＦモード」の項目が選択される。レリーズボタン9が押されて「シングルＡＦモード」の項目が選択決定されると、半押し信号がＣＰＵ439に入力されたときにのみ焦点検出が行われる動作モードが選択される。
【００３８】
メニューによるこれらの設定内容は、再びメニューボタン16が押されることにより、メニュー設定モードから記録モードに復帰したときから有効になる。
【００３９】
以上説明したようなメニュー設定は、上述したＡＥモードおよびＡＦモードの他に露出補正、測光方式およびホワイトバランス調整値の選択などの撮影機能に関するカメラ動作を詳細に設定するために使用されるものである。このメニュー設定モード中は、表示ＬＣＤ420に図６および図７のようなメニュー画面が表示され、可動レンズ2を通して撮像している被写体像の画面は表示されない。
【００４０】
−間引き読出し−
表示ＬＣＤ420は、図１に示されるように電子スチルカメラ1のモニターユニット1bに設けられた小型の液晶表示器であり、ＣＣＤ214で撮像される全画素数に対して表示画素数が少ない。そこで、ＣＣＤ214で撮像された被写体像を表示ＬＣＤ420で表示する場合は、ＣＣＤ214で蓄積された蓄積電荷が表示ＬＣＤ420の表示解像度に合わせて所定の割合で間引きして読出される。
【００４１】
図８は、ＣＣＤ214で撮像された被写体像を構成する画素並びと、被写体像を表示ＬＣＤ420上に表示するために間引きして読出される画素を説明する図である。図８において、黒く塗られた画素が表示ＬＣＤ420で表示するために間引き読出しされる画素を示しており、ＣＣＤ214で撮像される画素について、縦方向および横方向にそれぞれ５画素につき１画素の割合で読出される。
【００４２】
カラー画像を撮像するためにＣＣＤ214上に色フィルタが設けられている場合は、図９(a)に示すようにＲ、Ｇ、Ｂの原色フィルタが配置される場合と、図９(b)に示すようにＧ、Ｙe、Ｃy、Ｍaの補色フィルタが配置される場合とがある。図９(a)および図９(b)のいずれの場合でも、縦横両方向において２画素おき、４画素おき、…というように２の倍数の画素を間引いて読出すようにすれば、間引きする前のＣＣＤ214上の色フィルタの配列順序と、間引きして読出されたデータに対応する色フィルタの配列順序とが一致するので、間引きを行っても間引き前の色が再現される。図９(a),(b)において斜線を引いた画素は、５画素につき１画素の割合で読出される場合の画素位置である。
【００４３】
以上の間引き読出しはＣＰＵ439に制御される画像処理部431により行われる。すなわち、画像処理部431がＣＣＤ214から出力される画像信号を表示ＬＣＤ420の表示解像度に応じた所定のタイミングでサンプリングすることにより、ＣＣＤ214で撮像された被写体像が間引いて読出される。
【００４４】
上記の説明による間引き読出しは、上述したピーキング処理を施して被写体像を表示ＬＣＤ420上に表示する場合など、ＣＣＤ214で撮像されている被写体像をスルー画像表示する、いわゆる電子ビューファインダーモードにおいて行われるものである。上述した記録動作のように、レリーズボタン9により全押し信号が入力された場合においては、ＣＣＤ214で撮像された全ての蓄積電荷が間引きすることなく読出される。
【００４５】
−ピーキング領域の選択−
上述したピーキング処理は、被写界を複数の領域に分割した中から選択された特定の領域(以下、ピーキング領域と呼ぶ)の被写体画像について行われる。図１０は、電子スチルカメラ1で撮像される被写界が９つのピーキング領域に分割される場合の分割例を、表示ＬＣＤ420上に表示された被写体画像を用いて説明する図である。レリーズボタン9により半押し信号が入力されると、図１０(a)のように被写界が縦および横方向にそれぞれ３等分され、合計９つの領域に分割される。９つの領域のうちピーキング処理を行う領域として選択されたピーキング領域faが囲い表示される。レリーズボタン9による半押し信号が入力されたとき、最初に囲い表示されるピーキング領域faは、前回レリーズボタン9による半押し信号の入力時に選択されていた領域である。
【００４６】
囲い表示されたピーキング領域faを変更する場合は、ピーキング領域選択ボタン19a〜19dを用いて行われる。ピーキング領域選択ボタン19aを押すとピーキング領域faが図１０(a)において現在設定されている領域に対して１つ上の領域に変更され、ピーキング領域選択ボタン19bを押すと設定されている領域に対して１つ下の領域に変更される。同様に、ピーキング領域選択ボタン19cを押すとピーキング領域faが設定されている領域に対して１つ左の領域に変更され、ピーキング領域選択ボタン19bを押すと設定されている領域に対して１つ右の領域に変更される。
【００４７】
以上説明したピーキング領域faは、ピーキング処理用の領域として使用される他に、後述する可動レンズ2による焦点位置の調節状態を自動的に検出する検出動作(オートフォーカス:ＡＦ)を行う領域としても使用される。なお、ピーキング領域faは、電子スチルカメラ1がＡＦ動作を行うオートフォーカスモードに設定されている場合と、撮影者がマニュアルでピント合わせを行うマニュアルフォーカスモードに設定されている場合とに関係なく使用される。ピーキング領域選択ボタン19a〜19dにより設定されたピーキング領域faの情報は、ＣＰＵ439内に記憶され、レリーズボタン9による半押し信号が入力されるとＣＰＵ439から読出されて表示ＬＣＤ420上に囲い表示される。なお、半押し信号により行われた囲い表示は、半押し信号が入力されて所定の時間が経過すると中止される。
【００４８】
−焦点調節状態の検出−
オートフォーカスモードにおけるＡＦ動作は以下のように行われる。ＣＣＤ214で撮像された撮像信号が上述した図８のように間引いて読出されると、設定されているピーキング領域faに対応する撮像信号からコントラストが検出され、検出されたコントラストに基づいて可動レンズ2による焦点位置の調節状態が検出される。図１１は設定されたピーキング領域faに対応するＣＣＤ214上の画素位置と画素の出力値との関係を示すグラフの例である。グラフは被写体像に応じた曲線を示し、曲線の変化が大きいほど被写体像のコントラストが高い。したがって、被写体像のコントラストが最高となるように、いわゆる山登り法により焦点位置の調節状態を検出し、レンズ駆動回路430を駆動して可動レンズ2の焦点位置を調整して合焦させる。図１０(b)は合焦されて表示ＬＣＤ420上に表示された被写体画像を示す図である。合焦後の被写体像をピーキング処理して表示ＬＣＤ420に表示するように設定されている場合は、図１０(c)のようにピーキング領域faについてのみピーキング処理が行われる。なお、図１０(c)ではピーキング処理により強調された部分を太い黒線(ピーキング領域faを示す囲み枠を除く)で表す。
【００４９】
このように構成された電子スチルカメラ1の記録モードの撮影処理について説明する。図１２および図１３は、レリーズボタン9による半押し操作信号で起動されるプログラムを示すフローチャートである。ＣＰＵ439には、レリーズボタン9の操作により半押し操作信号と全押し操作信号がそれぞれ入力される。ステップＳ１１１において、ピーキング処理モードに設定されているか否かが判定され、否定判定される(ステップＳ１１１のＮ)とステップＳ１１３へ進む。ステップＳ１１１で肯定判定される(ステップＳ１１１のＹ)とステップＳ１１２へ進み、ＡＥ動作モードがプログラムモードまたはシャッター優先モードであるか否かが判定される。ステップＳ１１２において、肯定判定される(ＡＥ動作モードがプログラムモードまたはシャッター優先モードである)と、ステップＳ１１３へ進み、シャッター板208が駆動されてシャッター板208上の開口部208bが光路上にセットされる。ステップＳ１１４では、絞り板215が駆動されて絞り板215上の全開口部215aが光路上にセットされることにより、開放絞りに制御される。開放絞りに制御されるとステップＳ１１７へ進む。
【００５０】
ステップＳ１１２において否定判定される(ＡＥ動作モードが絞り優先モードまたはオフ(マニュアル)である)とステップＳ１１５へ進み、シャッター板208が駆動されてシャッター板208上の開口部208bが光路上にセットされる。ステップＳ１１６では、撮影者により設定された絞り値となるように絞り板215が駆動され、絞り板215上の所定の開口部が光路上にセットされることにより絞りが絞り込まれる。
【００５１】
ステップＳ１１７でＣＣＤ214に電荷が蓄積されて被写体像が撮像される。ステップＳ１１８において、ＣＣＤ214に蓄積された蓄積電荷を表示ＬＣＤ420の表示解像度に応じた所定の割合に間引きして読出すことにより、撮像された画像信号に基づいた画像データが読み出される。
【００５２】
ステップＳ１１９において、読出された画像データが画像処理部431でアナログ処理され、Ａ／Ｄ変換回路432でデジタル信号に変換された後、ＤＳＰ433で所定の画像処理が施される。ステップＳ１２０において、画像処理後の画像データがフレームメモリ435に書き込まれることにより、表示ＬＣＤ420にスルー画像が表示される。このとき、ピーキング処理を行うようにピーキング処理モードに設定されている場合は、ＣＰＵ439の指令によりスイッチ461がa回路側に切換られて、被写体像の輪郭などのコントラストが高い部分が高輝度で白く強調して表示される。
【００５３】
ステップＳ１２１において、オートフォーカス(AF)モードか否かが判定され、肯定判定されるとステップＳ１２２へ進み、否定判定されるとステップＳ１２６へ進む。ステップＳ１２２において、画像データの中にコントラストが検出可能か否かが判定される。コントラストが検出可能と判定される（ステップＳ１２２のＹ）とステップＳ１２３へ進み、コントラストが検出可能できないと判定される（ステップＳ１２２のＮ）とステップＳ１２５へ進んで表示回路440を介して表示パネル10に合焦不可能の警告表示を行い、ステップＳ１１７へ戻る。
【００５４】
ステップＳ１２３では、画像データの中に検出されたコントラストが所定値より高いか否かが判定される。否定判定される（ステップＳ１２３のＮ）とステップＳ１２４へ進み、レンズ駆動回路430を駆動して可動レンズ2の焦点位置を調整する。一方、肯定判定される（ステップＳ１２３のＹ）と合焦されたとみなしてステップＳ１２６へ進む。ステップＳ１２６において、全押し操作信号が入力されたと判定される（ステップＳ１２６のＹ）と、ステップＳ１２７に続く撮影シーケンスが実行される。一方、全押し操作信号が入力されないと判定されたとき（ステップＳ１２６のＮ）は、ステップＳ１１７に戻る。
【００５５】
ステップＳ１２７では、画像データから被写体の輝度値が算出され、露出演算が行われる。ステップＳ１２８において、絞り板215の所定の開口部が光路上にセットされるとともに、画像処理部431で画像信号を増幅する増幅率が焦点検出時の設定値から撮影時の所定の設定値に変更される。また、ＣＣＤ214に蓄積されている電荷が排出されて、いわゆる電子シャッター動作が行われる。ここで、絞り板215の所定の開口部とは、ＡＥ動作モードが絞り優先モードおよびオフ(マニュアル)の場合、撮影者により設定された絞り値に相当する開口部であり、ＡＥ動作モードがプログラムモードおよびシャッター優先モードの場合、ステップＳ１２７における露出演算により決定された絞り値に相当する開口部である。ステップＳ１２９において、ＣＣＤ214が所定時間露光されて電荷が蓄積され、被写体像が撮像される。露光時間は、ステップＳ１２８で電荷が排出されてから、後述するステップＳ１３０でシャッター板208が光路を遮光するまでの時間が、ステップＳ１２７による露出演算で決定された露光時間となるように制御される。露光終了後、ステップＳ１３０でシャッター板208上の完全遮光部208ａが光路上にセットされる。ステップＳ１３１において、ＣＣＤ214から蓄積電荷を間引きすることなく読出すことにより、撮像された画像信号に基づいた画像データが読み出される。
【００５６】
ステップＳ１３２において、読み出された画像データが画像処理部431でアナログ処理され、Ａ／Ｄ変換回路432でデジタル信号に変換された後、ＤＳＰ433で画像処理される。ステップＳ１３３において、ピーキング処理モードが解除されてピーキング処理回路460がオフされる。ステップＳ１３４で画像処理後の画像データがフレームメモリ435に書き込まれることにより、表示ＬＣＤ420にピーキング処理が行われないフリーズ画像が表示される。ステップＳ１３５において、画像処理後のデータが所定のフォーマットにより圧縮され、メモリカード424に記録される。以上の処理により、図１２、図１３による一連の撮影処理が終了する。
【００５７】
−再生動作−
メインスイッチ8を再生モード:PLAY位置に切換え操作すると、電子スチルカメラ1は電源オンとともに再生モードに切換えられる。メモリカードなどの記録媒体424に記録された画像データがある場合、記録されている画像データのうち一番最後に記録された画像データがＣＰＵ439に読出される。読出された画像データはバッファメモリ436に送られたのち、ＤＳＰ433により表示用の画像データに処理され、図１４に示すような再生画像1-1として表示ＬＣＤ420上に表示される。
【００５８】
記録媒体424に複数の画像データが記録されている場合は、ピーキング領域選択ボタン19b（再生モード中はコマ戻しスイッチとして機能する）が操作されることにより、表示されている表示画像の１コマ前、すなわち、時系列的に先に記録された画像データが記録媒体424から読出されて表示ＬＣＤ420に表示される(図１４の画像2-1)。続けてピーキング領域選択ボタン19bが操作されるごとに、再生する画像データのコマ戻しが行われ、図１４の画像3-1、画像4-1…のように表示ＬＣＤ420に表示されている画像データの１つ前に記録されたデータが読出されて表示ＬＣＤ420に表示される。全てのコマが再生表示され、さらにピーキング処理ボタン19bが操作された場合は、最初に読出された画像1-1の画像データが再び記録媒体424から読出されて表示ＬＣＤ420上に表示される。
【００５９】
ピーキング領域選択ボタン19a（再生モード中はコマ送りスイッチとして機能する）が操作されることにより、表示されている表示画像の１コマ後ろ、すなわち、時系列的に後から記録された画像データが記録媒体424から読出されて表示ＬＣＤ420に表示される。たとえば、図１４において画像3-1が表示されている場合を例にとれば、ピーキング領域選択ボタン19aが１回操作されることにより、画像2-1が記録媒体424から読出されて表示ＬＣＤ420上に表示される。続けてピーキング領域選択ボタン19aが操作されるごとに、再生する画像データのコマ送りが行われ、図１４の画像2-1、画像1-1…のように表示ＬＣＤ420に表示されている画像データの１つ後に記録されたデータが読出されて表示ＬＣＤ420に表示される。
【００６０】
図１４において、画像2-1が表示されているときピーキング領域選択ボタン19d（再生モード中は表示切換えスイッチとして機能する）が操作されるとピーキング処理モードに設定され、ピーキング処理によりコントラストの高い部分が強調された画像2-2が表示ＬＣＤ420に表示される。続けてピーキング領域選択ボタン19dが操作されるとピーキング処理モードが解除され、ピーキング処理が解除された画像上にシャッター速度、絞り値、測光値、被写体までの距離などの記録情報がスーパーインポーズされた画像2-3が表示される。
【００６１】
図１４において、画像2-3が表示されているときピーキング領域選択ボタン19c（再生モード中は表示切換えスイッチとして機能する）が操作されると、スーパーインポーズされているシャッター速度、絞り値、測光値、被写体までの距離などの記録情報の表示が解除され、ピーキング処理モードに設定されて強調処理が行われた画像2-2が表示ＬＣＤ420に表示される。続けてピーキング領域選択ボタン19cが操作されると、ピーキング処理モードが解除されて画像2-1が表示される。
【００６２】
表示切換えスイッチによりピーキング処理が行われた画像(図１４において画像*-2)を表示中、または記録情報がスーパーインポーズ表示された画像(図１４において画像*-3)を表示中に上述したコマ戻しスイッチおよびコマ送りスイッチを操作してもよい。ここで、画像*-2は画像1-2,画像2-2,画像3-2および画像4-2のうちいずれかの画像を表し、ピーキング処理モードに設定されて強調処理が行われた画像である。画像*-3は画像1-3,画像2-3,画像3-3および画像4-3のうちいずれかの画像を表し、ピーキング処理が解除された画像上に記録情報がスーパーインポーズされた画像である。たとえば、図１４における画像3-3を表示中にピーキング領域選択ボタン19b（再生モード中はコマ戻しスイッチとして機能する）が操作されることにより、表示されている表示画像の１コマ前、すなわち、時系列的に先に記録された画像データが記録媒体424から読出され、シャッター速度、絞り値、測光値、被写体までの距離などの記録情報をスーパーインポーズして表示ＬＣＤ420に表示される(図１４の画像4-3)。
【００６３】
また、図１４における画像2-2を表示中にピーキング領域選択ボタン19a（再生モード中はコマ送りスイッチとして機能する）が操作されることにより、表示されている表示画像の１コマ後、すなわち、時系列的に後から記録された画像データが記録媒体424から読出され、ピーキング処理が行われた画像1-2が表示ＬＣＤ420に表示される。
【００６４】
以上説明したように、ピーキング領域選択ボタン19a,19bを操作することにより、図１４の画像1-*〜画像4-*のいずれかの画像を１コマごとに記録媒体424から読出すとともに、ピーキング領域選択ボタン19c,19dを操作することにより、図１４の画像*-1〜画像*-3のようにピーキング処理を行ったり、記録情報をスーパーインポーズ表示することができる。ここで、画像1-*は、図１４において画像1-1,画像1-2および画像1-3のうちいずれかの画像を表す。また、画像*-1は、図１４において画像1-1,画像2-1,画像3-1および画像4-1のうちいずれかの画像を表す。なお、再生モードにおけるピーキング表示は、記録モードで設定されたピーキング領域faに関係なく、表示ＬＣＤ420上に表示される画像全体についてコントラストの高い部分が強調処理されて表示される。
【００６５】
再生モードにおいて、表示切換えスイッチにより切換えられた表示情報、すなわち、▲１▼記録媒体424から読出された画像データをそのまま表示する、▲２▼記録媒体424から読出された画像データにピーキング処理を施して表示する、▲３▼記録媒体424から読出された画像データにシャッター速度、絞り値、測光値、被写体までの距離などの記録情報をスーパーインポーズして表示するという３つの表示のうちどの表示形態であるかがＣＰＵ439内に記憶される。メインスイッチ8が操作されて再生モードから記録モードに移行するとき、上記の表示情報をＣＰＵ439に保存して移行し、記録モードに移行した時点でピーキング処理およびスーパーインポーズ表示を一旦解除する。記録モードでピーキング処理を行う場合は、上述したピーキング処理を行う条件に基づいてピーキング処理モードに設定される。
【００６６】
一方、メインスイッチ8が操作されて記録モードから再生モードに移行するとき、再生モードに移行された時点でＣＰＵ439内に記憶されている表示の情報が読出される。図１５に示すように、記録モードで画像0で示す画像が記録媒体424に記録された後に再生モードに移行される場合、再生モードでは一番最後に記録された画像0のデータがＣＰＵ439に読出される。読出された画像0のデータが表示ＬＣＤ420上に表示されるとき、上述した表示の情報に基づいて表示される。すなわち、たとえば前回記録モードに移行する前に上記▲２▼による形態の表示が行われていた場合はピーキング処理モードに設定され、記録媒体424から読出された画像0のデータがピーキング処理されて表示される(図１５の画像0-2)。
【００６７】
第一の実施の形態の特徴についてまとめる。
−記録モード−
（１）ピーキング処理モードに設定された場合、ＡＥ動作モードがプログラムモードおよびシャッター優先モードのいずれかに設定されていると判定される(ステップＳ１１２のＹ)と、開放絞りに制御(ステップＳ１１４)するようにしたので、ステップＳ１２０で表示ＬＣＤ420上にピーキング処理が行われた明るいスルー画像が表示されるようになり、撮影者が合焦状態を確認しやすくなる効果が得られる。
（２）ピーキング処理モードに設定された場合、ＡＥ動作モードが絞り優先モードおよびオフ(マニュアル)のいずれかに設定されていると判定される(ステップＳ１２０のＮ)と、撮影者により設定された絞り値に絞り込み制御(ステップＳ１１６)するようにしたので、ステップＳ１２０で表示ＬＣＤ420上に表示されるピーキング処理されたスルー画像で被写界深度を確認することができる。
（３）レリーズボタン9が全押しされた後は、撮像された画像に対してピント合わせなどを行う必要がないので、ステップＳ１３３においてピーキング処理モードを解除するようにした。この結果、ステップＳ１３４においてピーキング処理を行わない自然なフリーズ画像を表示ＬＣＤ420上に表示することが可能になる。
（４）ピーキング処理は、ＣＣＤ214で撮像された撮像信号のうちＹ信号メモリ435aに記憶されている輝度信号を微分回路460aで微分し、その微分信号を加算回路460cで元の輝度信号と足し合わせて表示ＬＣＤ420上に表示するようにしたので、被写体像の輪郭などのコントラストがはっきりするほど、その部分が黒または白に強調される。さらに、微分回路460aの出力が所定の電圧Vrより大となるとき色差信号Ｒ−Ｙおよび色差信号Ｂ−Ｙを０にするようにしたので、とくにコントラストが高い部分は白色表示されて視認性がよくなる。
（５）電子ビューファインダーモードにおいて、ＣＣＤ214で撮像されて蓄積された信号電荷を表示ＬＣＤ420の表示解像度に応じた所定の割合に間引きして読出すようにしたので、全ての信号電荷を読出す場合に比べて読出すデータの数が少なくなり、バッファメモリ436の使用領域を削減することができる。さらに、ＣＰＵ439およびＤＳＰ433における処理の負担を軽減できるから、処理時間の短縮および消費電力を低減する効果が得られる。
（６）可動レンズ2による焦点位置の調節状態を自動的に検出するオートフォーカス(ＡＦ)動作、および上記(３)によるピーキング処理はともに上記(４)により間引き読出しされた被写体画像について行うようにしたので、ＡＦ動作により主要被写体に合焦した場合に、ＡＦ動作で使用された画像データと同一の画像データをピーキング処理により強調して表示することが可能になる。したがって、合焦した被写体と強調して表示される被写体像とが常に一致するから操作感が向上する。
（７）被写界を複数の領域に分割した中から選択したピーキング領域と呼ぶ特定の領域を設け、このピーキング領域faに位置する被写体画像についてオートフォーカス(ＡＦ)動作を行い、ピーキング領域faに位置する被写体画像についてピーキング処理を行うようにした。この結果、主要被写体が存在する領域をピーキング領域faに設定すれば主要被写体に合焦させることができ、主要被写体が含まれるピーキング領域faのみがピーキング処理により強調されるから主要被写体に合焦したか否かの確認がし易く、使いやすいカメラが得られる。
【００６８】
−再生モード−
（８）ピーキング領域選択ボタン19a,19bを操作して、記録媒体424から読出す画像を１コマずつ送ったり戻したりする動作と、ピーキング領域選択ボタン19c,19dを操作して、記録媒体424から読出された画像データにピーキング処理を施して表示したり、記録情報をスーパーインポーズして表示する動作とを組み合わせて行えるようにした。したがって、たとえば、図１５の画像1-2のようにピーキング処理を施した画像表示を行ったままピーキング領域選択ボタン19a,19bを操作すれば、ピーキング処理を施したままでコマを切換えた画像1-2〜画像4-2が表示される。この結果、記録媒体424に記録された画像データの中からもっともピントが合ったコマの画像を選択する場合に、選択作業が容易になり使い勝手のよいカメラが得られる。
（９）メインスイッチ8の操作により再生モードから記録モードに移行するとき、ピーキング処理を施したりスーパーインポーズした表示の情報をＣＰＵ439内に記憶し、再び記録モードから再生モードに移行したとき、記憶した表示の情報を読出すようにした。したがって、記録媒体424から画像0のデータを読出して表示ＬＣＤ420に表示する場合、画像0のデータが読出された表示の情報に基づいてピーキング処理されたり、スーパーインポーズされて表示ＬＣＤ420に表示される。この結果、記録モードで被写体を記録し、再生モードに切換えてピーキング表示により合焦状態を確認し、再び記録モードに切換えて記録し、さらに再生モードで合焦状態を確認するという作業を繰り返し行う場合に、再生モードに切換えたとき自動的にピーキング表示が行われるようになり、使い勝手がよいカメラが得られる。
【００６９】
上記の説明では、メニュー設定によりマニュアルフォーカス(MF)モードとオートフォーカスモード（コンティニュアスＡＦ(CAF)モードおよびシングルＡＦ(SAF)モード）とを切換えるようにしたが、メニュー設定の代わりに図３に示すCAF/SAF/MF切換えスイッチ463により切換えるようにしてもよい。
【００７０】
また、上記の説明では、ピーキング処理回路460を用いてピーキング処理を行うようにしたが、ピーキング処理回路460で行った処理をソフトウエアにより処理するようにしてもよい。この場合、ＣＰＵ439がバッファメモリ436上にある画像データに対して必要に応じてピーキング処理を行い、ピーキング処理後の画像データをフレームメモリ435に書き込むようにする。このようにすれば、ピーキング処理回路460およびスイッチ461、スイッチ470が不要になり、コストを低減する効果が得られる。
【００７１】
上述したピーキング処理回路460の説明では、被写体像の輪郭などのコントラストが高い部分を高輝度で白く強調して表示するようにしたが、白色の代わりに背景に対する補色で表示するようにしてもよい。また、白色と黒色を点滅させて表示するようにしてもよい。このようにすれば、被写体像の背景色が白くて強調された白色部分が目立たない場合でも、補色表示または白黒の点滅表示を行うことにより強調された部分が見やすくなるという効果が得られる。
【００７２】
また、上述したピーキング処理回路460の説明では、絞り値(光路に設定されている絞り板215の開口215a〜215g)に関係なくピーキング処理を行うようにしたが、絞り値に応じて微分回路460aのゲインおよびオペアンプ460eに入力される所定の電圧Vrを変化させるようにしてもよい。たとえば、絞り開放で被写界深度が浅い場合は輪郭を強く強調するようにし、絞りを絞り込んだ場合は被写界深度が深くなるので輪郭を弱めに強調するようにする。このようにすれば、被写界深度が深くてピントの合った部分が多い場合に、これらがすべてピーキング処理により強調されて画面全体が高輝度でギラギラと表示されることが防止される。
【００７３】
さらにまた、上記の微分回路460aのゲインおよびオペアンプ460eに入力される所定の電圧Vrを被写体像の背景の明るさに応じて変化させるようにしてもよい。背景が明るい場合は輪郭を強く強調し、背景が暗い場合は輪郭を弱めに強調するようにすれば、背景の明るさが変化する場合でも強調された部分が見やすくなるという効果が得られる。
【００７４】
再生モードにおけるコマ戻しスイッチおよびコマ送りスイッチをそれぞれピーキング領域選択ボタン19bおよび19aで操作するようにし、表示切換えスイッチをピーキング領域選択ボタン19cおよび19dで操作するようにしたが、これらはズーム操作ボタン14、選択ダイヤル17を用いて操作するようにしてもよい。
【００７５】
−第二の実施の形態−
第二の実施の形態では、第一の実施の形態がピーキング処理モードに設定されている場合にＡＥ動作モードに応じて絞り板215による絞り値を制御する点を特徴とするのに対し、第二の実施の形態はピーキング処理モードに設定されている場合にＡＦ動作モードを解除する点が異なる。図１６は第二の実施の形態によるＡＦ動作モード解除のフローチャートである。
【００７６】
ステップＳ２１１において、ピーキング処理モードに設定されているか否かが判定され、肯定判定される(ステップＳ２１１のＹ)とステップＳ２１２へ進み、否定判定される(ステップＳ２１１のＮ)と図１６による処理を終了する。ステップＳ２１２では、ＡＦ動作モードに設定されているか否かが判定され、シングルＡＦモードおよびコンティニュアスＡＦモードのいずれかに設定されている場合は肯定判定され(ステップＳ２１２のＹ)、ステップＳ２１３へ進んでＡＦ動作モードが解除される。一方、ステップＳ２１２において、ＡＦ動作モードがオフ(マニュアル)されている場合は否定判定され(ステップＳ２１２のＮ)、図１６による処理を終了する。
【００７７】
第二の実施の形態の特徴についてまとめる。ピーキング処理モードに設定された場合、ＡＦ動作モード(シングルＡＦモードおよびコンティニュアスＡＦモードのいずれか)に設定されていると判定される(ステップＳ２１２のＹ)と、ＡＦ動作モードを解除(ステップＳ２１３)するようにしたので、撮影者が電子スチルカメラ1をピーキング処理モードに設定したとき、マニュアルでピント合わせを行う可能性が高いから自動的にＡＦ動作モードが解除されてマニュアルフォーカスモードに設定される。この結果、撮影者が電子スチルカメラ1に対してピーキング処理に設定するだけでマニュアルによるピント調整を行うことができるようになるので、カメラの操作性が向上する効果が得られる。
【００７８】
以上の説明では、第一および第二の実施の形態による処理をそれぞれ単独で行うように説明したが、両実施の形態を組み合わせて行うようにしてもよい。
【００７９】
特許請求の範囲における各構成要素と、発明の実施の形態における各構成要素との対応について説明すると、ＣＣＤ214が撮像装置に、ＣＰＵ439が再生制御手段、表示制御手段、記憶手段および切換え制御手段に、ピーキング処理回路460が信号処理手段に、表示ＬＣＤ420が表示手段に、ピーキング領域選択ボタン19a,19bが第１の切換え手段に、ピーキング領域選択ボタン19c,19dが第２の切換え手段に、記録／再生切換えスイッチ467がモード切換え手段にそれぞれ対応する。
【００８０】
【発明の効果】
以上詳細に説明したように本発明によれば、次のような効果を奏する。
（１）請求項１の発明では、電子カメラで記録媒体に記録された画像データを読出して表示手段に表示するとき、第１の切換え手段で画像データのコマ送りおよびコマ戻しを行い、第２の切換え手段で画像データを強調する信号処理手段をオン／オフするようにした。したがって、第２の切換え手段を操作して画像データが信号処理手段により強調されるようにしたまま、第１の切換え手段を操作して読出す記録波形のコマを切換えることができるから操作性のよいカメラが得られる。
（２）請求項２の発明では、第１の切換え手段により記録媒体から読出す画像データを１コマ単位でコマ送りおよびコマ戻しするようにしたから、画像データを１コマずつ確認しながらコマ送りおよびコマ戻しを行うことができ、カメラの使い勝手がよくなる効果が得られる。
（３）請求項３の発明では、再生モードから記録モードに切換えるとき、再生モードにおける信号処理手段のオン／オフの状態を記憶手段に記憶し、再び記録モードから再生モードに切換えるとき、記憶手段から記憶した状態を読出して、読出された状態に応じて信号処理手段をオンまたはオフするようにした。したがって、記録モードで被写体を記録し、再生モードに切換えてピーキング表示により合焦状態を確認し、再び記録モードに切換えて記録し、さらに再生モードで合焦状態を確認するという作業を繰り返し行う場合に、再生モードに切換えたとき自動的にピーキング表示が行われるようになり、使い勝手がよいカメラが得られる。
【図面の簡単な説明】
【図１】一実施の形態による電子スチルカメラの収納時、および携帯時の外観を示す図で(a)が上から見た図、(b)が後ろから見た図である。
【図２】図２は図１のカメラの通常撮影時の外観を示す図で(a)が前から見た図、(b)が上から見た図、(c)が後ろから見た図である。
【図３】第一の実施の形態による電子スチルカメラの回路ブロックを示す図である。
【図４】レンズ群の斜視図である。
【図５】ピーキング処理回路、スイッチおよびフレームメモリの詳細を示す図である。
【図６】メニュー設定画面のＡＥ動作の設定を説明する図である。
【図７】メニュー設定画面のＡＦ動作の設定を説明する図である。
【図８】ＣＣＤで撮像された被写体像を構成する画素並びと、間引きして読出される画素を説明する図である。
【図９】  (a)はＣＣＤ上に設けられた原色フィルタの配置例を示す図、(b)はＣＣＤ上に設けられた補色フィルタの配置例を示す図である。
【図１０】  (a)は撮像される被写界が９つのピーキング領域に分割される場合の分割例を説明する図、(b)は合焦したところを示す図、(c)はピーキング処理されたところを示す図である。
【図１１】ＣＣＤ上で検出された各画素の位置と、各画素の出力値との関係を表すグラフである。
【図１２】第一の実施の形態による半押し信号により起動する撮影処理の前半のフローチャートである。
【図１３】図１２のフローチャートに続く撮影処理の後半のフローチャートである。
【図１４】再生モードにおいて表示される再生画像を説明する図である。
【図１５】記録モードと再生モードで表示される画像を説明する図である。
【図１６】第二の実施の形態による判定処理のフローチャートである。
【符号の説明】
１…電子スチルカメラ、              ２…可動レンズ、
４…閃光装置、                      ８…メインスイッチ、
９…レリーズボタン、              １２…撮影距離モードボタン、
１４…ズーム操作ボタン、            １５…モニター表示ボタン、
１６…メニューボタン、              １７…選択ダイヤル、
19a〜19d…ピーキング領域選択ボタン、２１…レンズ群、
214 …ＣＣＤ、                      420 …表示ＬＣＤ、
429 …ズームレンズ駆動回路、        430 …レンズ駆動回路、
431 …画像処理部、                  435 …フレームメモリ、
436 …バッファメモリ、              439 …ＣＰＵ、
460 …ピーキング処理回路、          461,470,471 …スイッチ、
463 …CAF/SAF/MF切換えスイッチ、    464 …ＡＥモード切換えスイッチ、
467 …記録／再生切換えスイッチ、    468 …連写モード切換えスイッチ、
480 …電源回路、                     fa …ピーキング領域
【図１】
0004244469.tif 000002
【図２】
0004244469.tif 000003
【図３】
0004244469.tif 000004
【図４】
0004244469.tif 000005
【図５】
0004244469.tif 000006
【図６】
0004244469.tif 000007
【図７】
0004244469.tif 000008
【図８】
0004244469.tif 000009
【図９】
0004244469.tif 000010
【図１０】
0004244469.tif 000011
【図１１】
0004244469.tif 000012
【図１２】
0004244469.tif 000013
【図１３】
0004244469.tif 000014
【図１４】
0004244469.tif 000015
【図１５】
0004244469.tif 000016
【図１６】
0004244469.tif 000017